(57)【要約】【課題】バスケット部の形状が崩れにくく、かつ、製造が容易で、先端チップの外径が大きくならない医療用バスケット型把持鉗子を提供する。【解決手段】中心軸方向に沿って操作ワイヤルーメンを有するシースと、前記シースの操作ワイヤルーメン内に中心軸方向移動可能に延在する操作ワイヤと、複数の弾性ワイヤが遠位側結束点および近位側結束点で結束され、これら結束点間でかご状に形成されてなるバスケット部と、を有し、前記操作ワイヤの遠位端部に前記バスケット部の近位端部が接続されている医療用バスケット型把持鉗子において、前記近位側結束点で、前記複数の弾性ワイヤが並行した複数の貫通孔を有する複数孔結束部材で結束されており、該複数の弾性ワイヤがそれぞれ該複数孔結束部材の異なる貫通孔に挿通されて結束されている。【選択図】        図２
2005021195.tif 000002
【特許請求の範囲】
【請求項１】
中心軸方向に沿って操作ワイヤルーメンを有するシースと、
前記シースの操作ワイヤルーメン内に中心軸方向移動可能に延在する操作ワイヤと、
複数の弾性ワイヤが遠位側結束点および近位側結束点で結束され、これら結束点間でかご状に形成されてなるバスケット部と、を有し、
前記操作ワイヤの遠位端部に前記バスケット部の近位端部が接続されている医療用バスケット型把持鉗子であって、
前記近位側結束点で、前記複数の弾性ワイヤが並行した複数の貫通孔を有する複数孔結束部材で結束されており、該複数の弾性ワイヤがそれぞれ該複数孔結束部材の異なる貫通孔に挿通されて結束されている医療用バスケット型把持鉗子。
【請求項２】
前記複数の弾性ワイヤが、前記複数孔結束部材の近位端側に隣接した単一の貫通孔を有する単一孔結束部材の貫通孔に挿通されて結束されていて、該単一孔結束部材の外径が前記複数孔結束部材の外径より小さくなっている請求項１記載の医療用バスケット型把持鉗子。
【請求項３】
前記シースの遠位端が、中心軸に対して斜めに切断された形状を有する請求項１または２記載の医療用バスケット型把持鉗子。
【発明の詳細な説明】
【０００１】
【発明の属する技術分野】
本発明は、例えば内視鏡と共に用いられて結石などの体内の異物を把持可能な医療用バスケット型把持鉗子に係り、さらに詳しくは、バスケット部の形状が崩れにくく、かつ、製造が容易であり、先端チップの外径が大きくならない医療用バスケット型把持鉗子に関する。
【０００２】
【従来の技術】
内視鏡と共に用いられ、結石などの体内の異物を除去する医用器具として、医療用バスケット型把持鉗子が知られている。医療用バスケット型把持鉗子では、シースからバスケット部を出入操作することにより、体内の異物をバスケット部で把持して、除去することが可能になっている。
【０００３】
このような医療用バスケット型把持鉗子の製造において、バスケット部は、通常、予め曲げ加工が施された複数の弾性ワイヤを束ね、各弾性ワイヤの曲げ加工部分が全体で所望のかご形状を形成するように各弾性ワイヤの配置を整えてから、このかご形状部分の両末端をカシメ材などにより結束することにより形成される。しかし、この結束を行う際に、整えた各弾性ワイヤの配置が狂って、バスケット部の形状が崩れてしまうことがあった。
【０００４】
このような問題を解決するために、複数の貫通孔が並列に形成された先端チップに複数の弾性ワイヤを一本毎に独立して貫通孔に挿通して先端部で結束した医療用バスケット型把持鉗子が提案されている（特許文献１参照）。
【０００５】
しかし、この医療用バスケット型把持鉗子の製造においてバスケット部を形成する際に、各弾性ワイヤの先端チップに挿通する部分の長さが短いと、一本、一本挿通している間に、他の弾性ワイヤが先端チップから抜け落ちてしまうという問題を生じる。そのため、各弾性ワイヤの先端チップに挿通する部分の長さを十分に長くするために、弾性ワイヤを先端チップ部で曲げ戻す構造にしたり、十分な長さを有する弾性ワイヤを先端チップに挿通した後に余分な部分を切断したりすることが必要となり、製造工程が煩雑となっていた。
【０００６】
また、複数の貫通孔が並列に形成された先端チップは、その構造上、外径が大きくなってしまうという問題があった。先端チップの外径が大きいと、異物を把持する際の邪魔になるだけでなく、先端チップがシース先端に引っかかりやすくなるのでバスケット部全体をシースに収納することが困難となる。バスケット部全体をシースに収納できる医療用バスケット型把持鉗子では、バスケット部が完全にシースに収納されるか否かを知ることで異物が把持されたか否かを確認することができるが、バスケット部全体をシースに収納することができない医療用バスケット型把持鉗子では、この確認が困難になる。
【０００７】
【特許文献１】
特開２０００−４１９８７号公報
【０００８】
【発明が解決しようとする課題】
本発明は、上記実情に鑑みてなされたものであり、バスケット部の形状が崩れにくく、かつ、製造が容易で、先端チップの外径が大きくならない医療用バスケット型把持鉗子を提供することを目的とする。
【０００９】
【課題を解決するための手段】
上記目的を達成するために、本発明に係る医療用バスケット型把持鉗子は、中心軸方向に沿って操作ワイヤルーメンを有するシースと、前記シースの操作ワイヤルーメン内に中心軸方向移動可能に延在する操作ワイヤと、複数の弾性ワイヤが遠位側結束点および近位側結束点で結束され、これら結束点間でかご状に形成されてなるバスケット部と、を有し、前記操作ワイヤの遠位端部に前記バスケット部の近位端部が接続されている医療用バスケット型把持鉗子であって、前記近位側結束点で、前記複数の弾性ワイヤが並行した複数の貫通孔を有する複数孔結束部材で結束されており、該複数の弾性ワイヤがそれぞれ該複数孔結束部材の異なる貫通孔に挿通されて結束されていることを特徴とする。
【００１０】
上記の医療用バスケット型把持鉗子において、前記複数の弾性ワイヤが、前記複数孔結束部材の近位端側に隣接した単一の貫通孔を有する単一孔結束部材の貫通孔に挿通されて結束されていて、該単一孔結束部材の外径が前記複数孔結束部材の外径より小さくなっていることが好ましい。
【００１１】
上記の医療用バスケット型把持鉗子において、前記シースの遠位端が、中心軸に対して斜めに切断された形状を有することが好ましい。
【００１２】
【発明の実施の形態】
以下、本発明の医療用バスケット型把持鉗子を図面に示す実施形態に基づき説明する。図１は、本発明の実施形態に係る医療用バスケット型把持鉗子の全体図である。図２は、本発明の実施形態に係る医療用バスケット型把持鉗子のバスケット部の拡大図である。図３は、本発明の実施形態に係る複数孔結束部材の斜視図である。図４は、本発明の実施形態に係るシースの遠位端部の斜視図である。
【００１３】
図１に示す医療用バスケット型把持鉗子１は、中心軸方向に沿って操作ワイヤルーメン１４を有するシース１３と、シース１３の操作ワイヤルーメン１４内に中心軸方向移動可能に延在する操作ワイヤ１１と、操作ワイヤ１１の遠位端部に接続されたバスケット部２と、操作ワイヤ１１の近位端部に覆設されたリードパイプ２０と、操作ワイヤ１１の近位端部及びリードパイプ２０の近位端部に接続された操作部材２１から構成されている。そして、この医療用バスケット型把持鉗子１のバスケット部２は、複数の弾性ワイヤ４が遠位側結束点５および近位側結束点６で結束されて、これら両結束点５及び６の間がかご状に形成されたかご形状部３となっている。
【００１４】
このような医療用バスケット型把持鉗子１を使用するときは、かご形状部３がシース１３の操作ワイヤルーメン１４に収納されてしぼめられた状態で、遠位端側から内視鏡等を介して患者の体内に挿入する。次に、操作部材２１をシース１３の方向へ押し込むと、リードパイプ２０及び操作ワイヤ１１を介して、バスケット部２がシース１３に対して遠位端方向に移動され、かご形状部３が操作ワイヤルーメン１４の遠位端から突出する。このとき、かご形状部３が所望のかご形状に拡開されるので、各弾性ワイヤ４のすきまから、かご形状部３の内部に異物をとりこむことができる。異物をかご形状部３内部に取り込んだら、操作部材２１を手元側に引き戻すと、バスケット部２がシース１３に対して近位端方向に移動され、異物を各弾性ワイヤ４で締め付けて把持することができる。
【００１５】
図２に示すバスケット部２を構成する弾性ワイヤ４は、弾性を有する線状体であり、それぞれ遠位側結束点５と近位側結束点６の間で、曲線もしくは折線形状を有している。この複数の弾性ワイヤ４が、遠位側結束点５と近位側結束点６で結束されることにより、それぞれの曲線もしくは折線部分がかご形状部３を形成している。バスケット部２を構成する弾性ワイヤ４の本数は、３〜２０本が好ましく、６〜１０本が更に好ましい。弾性ワイヤ４の曲線形状の例としては、円弧状や螺旋状が挙げられ、折線形状の例としては、一つの屈折点を有するくの字状や二つの屈折点を有するコの字状が挙げられる。かご形状部３を形成する各弾性ワイヤ４の形状は、全て同じであってもよいし、異なっていてもよい。図２に示す本実施形態では、遠位側結束点５と近位側結束点６の間で１周回する螺旋形状を有する６本の弾性ワイヤ４によりバスケット部２が構成されている。
【００１６】
バスケット部２の近位側結束点６においては、複数の弾性ワイヤ４が並行した複数の貫通孔８を有する複数孔結束部材７の異なる貫通孔に挿通されて結束されている。したがって、近位側結束点６において複数の弾性ワイヤ４の配置が定められているので、バスケット部２の形状がくずれにくい。なお、複数の弾性ワイヤ４は、それぞれ複数孔結束部材７に固着することが好ましい。固着の手法は特に限定されず、かしめ、銀ロー付け、接着などの手法を採用することができる。
【００１７】
複数孔結束部材７の貫通孔８の数は、弾性ワイヤ４と同数以上であれば特に限定されないが、弾性ワイヤ４と同数であることが好ましい。弾性ワイヤが挿通される貫通孔８の開口形状は特に限定されないが、円形であることが好ましい。弾性ワイヤ４が挿通される貫通孔８一つ当りの開口面積は、挿通される弾性ワイヤ４の線径により決定されるが、通常、０．００５〜２．０ｍｍ３である。また、複数孔結束部材７において、弾性ワイヤ４が挿通される貫通孔８の配置は、所望するかご形状部３の形状により決定されるが、一つの円周上に沿って等間隔に配置されることが好ましい。
【００１８】
複数孔結束部材７は、並行した複数の貫通孔８を有していればよく、複数の管状部材を結束して構成してもよいし、ブロック状部材に穴あけ加工を施すことにより構成してもよい。複数孔結束部材７の製造コストを有利にする観点からは、一本の管状部材の内腔に複数の管状部材および所望により単数もしくは複数の棒状部材を密に充填して構成した集合体（いわゆるハニカムパイプ）を所望の中心軸方向長さに輪切りにしたものを複数孔結束部材７として用いることが好ましい。複数孔結束部材７を構成する材質は特に限定されないが、ステンレス鋼などの金属で構成することが好ましい。図２に示す本実施形態においては、図３に示すようなステンレス鋼製パイプ２３に６本の細径ステンレス鋼製パイプ２２と１本のステンレス鋼製丸棒２４を充填して構成したハニカムパイプを輪切りにした複数孔結束部材７が用いられている。複数孔結束部材７の外径は、通常、０．７〜３．５ｍｍである。また、複数孔結束部材７の中心軸方向長さは、通常、１〜１０ｍｍである。
【００１９】
図１及び図２に示す医療用バスケット型把持鉗子１では、複数の弾性ワイヤ４は、複数孔結束部材７の近位端側に隣接した単一孔結束部材９の貫通孔に挿通されて、さらに結束されている。単一孔結束部材９は、単一の貫通孔を有する管状体であり、この単一孔結束部材９の外径は複数孔結束部材７の外径より小さくなっている。このような単一孔結束部材９を設けない場合は、複数孔結束部材７とその近位端側に位置する結束された複数の弾性ワイヤ４との間に比較的大きな段差が生じるので、バスケット部２をシース１３の操作ワイヤルーメン１４内に引き込むときに、複数孔結束部材７がシース１３の遠位端に引っかかるおそれがあるが、単一孔結束部材９を設けることで、これを防止することができる。また、単一孔結束部材９は、複数の弾性ワイヤ４に固着することが好ましい。固着の手法は特に限定されず、かしめ、銀ロー付け、接着などの手法を採用することができる。
【００２０】
単一孔結束部材９を構成する材質としては、複数孔結束部材７と同様の材質を使用することができる。単一孔結束部材９の外径は、複数孔結束部材７の外径と結束された複数の弾性ワイヤ４全体の外径との略中間の径であることが好ましく、通常、０．５〜３．０ｍｍである。また、単一孔結束部材９の肉厚は通常、０．０５〜０．２ｍｍであり、中心軸方向長さは、通常、１〜５ｍｍである。単一孔結束部材９の外形は、直胴状であってもよいし、近位端側から遠位端側に向かって外径が大きくなるテーパー状であってもよい。
【００２１】
図１及び図２に示す医療用バスケット型把持鉗子１では、バスケット部２の遠位側結束点５において、複数の弾性ワイヤ４は先端チップ１０を用いて結束されている。先端チップ１０は、弾性ワイヤ４の遠位端部を収納可能な貫通孔もしくは有底孔を有する部材であり、この貫通孔もしくは有底孔に弾性ワイヤ４の遠位端部が収納された状態で、かしめ、銀ロー付け、接着などの手法により先端チップ１０と弾性ワイヤ４が固着されている。また、先端チップ１０の遠位端には、丸め加工が施されていることが好ましい。先端チップ１０を構成する材質としては、特に限定されないが、ステンレス鋼を使用することが好ましい。先端チップ１０の外径は、０．５〜３．０ｍｍであることが好ましく、中心軸方向長さは、通常、２．０〜３．０ｍｍであることが好ましい。先端チップ１０の中心軸方向長さが２．０ｍｍより短いと、弾性ワイヤ４の結束強度が不足して、異物を把持するときにバスケット部２が破損するおそれがある。先端チップ１０の中心軸方向長さが３．０ｍｍより長いと、弾性ワイヤ４の結束強度が強すぎて、次に述べる不都合が生じる。すなわち、把持した異物が大きすぎて体外に取り出せず、かつ、かご形状部３を完全に拡開させても異物が脱落しない状態（いわゆるカントン）になった場合に、操作ワイヤ１１を強く引くことで意図的にバスケット部２を破損させ、この状態を脱する手法をとることができず、開腹手術を行う必要が生じてしまう。なお、バスケット部２の遠位側結束点５における結束は必ずしも先端チップ１０を用いて行う必要はなく、銀ロー付け、溶接、接着などの手法によって行うことができる。
【００２２】
本発明の医療用バスケット型把持鉗子１において、先端チップ１０の貫通孔もしくは有底孔は単一であることが好ましい。本発明の医療用バスケット型把持鉗子１では、バスケット部２の近位側結束点６において、弾性ワイヤ４が複数孔結束部材７で結束されているので、バスケット部２の形状の崩れが十分に防止されているので、複数の貫通孔が並列に形成された先端チップを用いる必要がない一方、複数の貫通孔が並列に形成された先端チップは、その構造上、外径が大きくなるので、異物を把持する際の邪魔になったり、バスケット部全体をシースに収納することが困難となったりするからである。
【００２３】
バスケット部２を構成する弾性ワイヤ４としては、線径が０．０５〜１．５ｍｍの線状体を用いることが好ましい。また、弾性ワイヤ４の長さは、通常、３０〜２００ｍｍであり、このうちかご形状部３を構成する長さは、通常、２５〜７０ｍｍである。弾性ワイヤ４の材質としては、ニッケルチタン合金、ステンレス鋼、金、銀、白金、ニッケル、鉄、チタン、アルミ、スズ、亜鉛、タングステン等の金属を用いることが好ましく、超弾性を有するニッケルチタン合金を用いることが特に好ましい。また、弾性ワイヤ４は、一体に成形された単線であってもよいし、複数の細線を撚り合わせて構成した撚り線であってもよい。
【００２４】
図１に示す医療用バスケット型把持鉗子１では、バスケット部２（複数の弾性ワイヤ４）の近位端部と操作ワイヤ１１の遠位端部は、接続パイプ１２をかしめることによって接続されている。接続パイプ１２を構成する材質としてはステンレス鋼などの金属を使用することが好ましい。接続パイプ１２の外径は、通常、０．５〜３．０ｍｍである。また、単一孔結束部材９の肉厚は、通常、０．０５〜０．２ｍｍであり、中心軸方向長さは、通常、４〜１０ｍｍである。また、バスケット部２の近位端部と操作ワイヤ１１の遠位端部の接続は、接続パイプ１２を用いずに、銀ロー付け、溶接、接着などの手法によって行うこともできる。
【００２５】
バスケット部２と接続される操作ワイヤ１１としては、線径が０．４〜２．５ｍｍ程度の線状体を用いることが好ましい。また、操作ワイヤ１１の長さは、通常、１５００〜２５００ｍｍである。操作ワイヤ１１を構成する材質としては、特に限定されないが、ステンレス鋼などの金属を用いることが特に好ましい。また、操作ワイヤ１１は、一体に成形された単線であってもよいし、複数の細線を撚り合わせて構成した撚り線であってもよい。
【００２６】
操作ワイヤ１１の近位端部の外周には、操作ワイヤ１１より高い剛性を有する管状体であるリードパイプ２０が覆設されていることが好ましい。このようなリードパイプ２０を設けることで、かご形状部３を拡開させるために操作ワイヤ１１をシース１３の遠位端方向に押し込む操作が容易になる。リードパイプ２０としては、外径が０．７〜３．０ｍｍ、肉厚が０．０５〜０．２ｍｍ程度の管状体を用いることが好ましい。また、リードパイプ２０の長さはバスケット部２を完全に引き込んだときに、シース１３の近位端から突出する操作ワイヤ１１の長さより長いことが好ましく、通常、１５０〜２５０ｍｍである。リードパイプ２０を構成する材質としては、特に限定されないが、ステンレス鋼などの金属を用いることが好ましい。
【００２７】
操作ワイヤ１１の近位端部には、指で把持しやすい外形を有する操作部材２１が接続されていることが好ましい。操作ワイヤ１１の近位端部の外周にリードパイプ２０が覆設されている場合は、リードパイプ２０の近位端部も操作部材２１に接続されていることが好ましい。
【００２８】
医療用バスケット型把持鉗子１のシース１３は、中心軸方向に沿って操作ワイヤルーメン１４を有する管状体である。シース１３の操作ワイヤルーメン１４内には、中心軸方向移動可能に操作ワイヤ１１が配置される。シース１３には、操作ワイヤルーメン１４の他に、体内に医療用バスケット型把持鉗子１を挿入する際に、ガイドワイヤに沿わせて挿入するためのガイドワイヤルーメン１６や体内に造影剤を送り込むための通路となる造影剤ルーメン１５等の他のルーメンを設けてもよい。また、一つのルーメンに複数の機能を持たせることもできる。図１に示す本実施形態では、シース１３には、操作ワイヤルーメン１４、ガイドワイヤルーメン１６、造影剤ルーメン１５の３つのルーメンが設けられている。
【００２９】
シース１３の外径は、設けられるルーメンの数にもよるが、通常、１．５〜３．５ｍｍであり、シース１３の長さは、通常、１５００〜２５００ｍｍである。また、シース１３の操作ワイヤルーメン１４のルーメン径は、０．８〜２．６ｍｍであることが好ましい。シース１３の材質としては、フッ素樹脂、ポリアミド樹脂、ポリエチレン樹脂などの合成樹脂を用いることが好ましく、フッ素樹脂を用いることが特に好ましい。また、必要に応じてシース１３内に金属線などの補強材を埋め込んでもよい。
【００３０】
また、図４に示す医療用バスケット型把持鉗子１のシース１３の遠位端は、中心軸に対して斜めに切断された形状を有している。シース１３をこのように構成することで、医療用バスケット型把持鉗子１の体内への挿入が容易になる。さらに、図４に示すように、シース１３の操作ワイヤルーメン１４の遠位端開口が、シース１３の中心軸に対して、斜めの開口面を有するようにすることがより好ましい。操作ワイヤルーメン１４の遠位端開口が、シース１３の中心軸に対して、斜めの開口面を有すると、操作ワイヤルーメン１４の遠位端開口面積が広くなるので、バスケット部２を操作ワイヤルーメン１４内に引き込むときに、複数孔結束部材７が操作ワイヤルーメン１４の遠位端開口周縁に引っかかることが防止される。
【００３１】
図１に示す医療用バスケット型把持鉗子１では、シース１３の近位端側側壁に、ガイドワイヤ挿通ポート１７及び造影剤注入ポート１８が備えられている。ガイドワイヤ挿通ポート１７は、シース１３のガイドワイヤルーメン１６に連通する開口を有しており、この開口からガイドワイヤルーメン１６にガイドワイヤが挿通可能になっている。造影剤注入ポート１８は、シース１３の造影剤ルーメン１５に連通する開口を有しており、この開口から造影剤ルーメン１５に造影剤を注入することができるようになっている。
【００３２】
また、シース１３の近位端部には補強チューブ（図示せず）を覆設することが好ましい。シース１３の近位端部に補強チューブを覆設することで、折れ曲がりによる変形（キンク）を効果的に防止できる。補強チューブの外径は、１．７〜５．５ｍｍが好ましく、肉厚は、０．１〜１．０ｍｍが好ましい。補強チューブの長さは、通常、４０〜４００ｍｍである。補強チューブの材質としては、ポリエチレン樹脂などの合成樹脂を用いることが好ましい。
【００３３】
また、図１に示す医療用バスケット型把持鉗子１では、シース１３の近位端にコネクタ１９が取り付けられている。コネクタ１９は、シース１３の操作ワイヤルーメン１４に連通する開口を有しており、この開口から操作ワイヤ１１（リードパイプ２０）が突出する。
【００３４】
つぎに、本発明に係る医療用バスケット型把持鉗子１の製造工程について説明する。まず、バスケット部２を構成する複数の弾性ワイヤ４を所定の長さに切断して、それぞれの遠位端部を所望の曲線もしくは折線形状に加工する。このとき、弾性ワイヤ４の最遠位端部分には、結束しろとなる０．１〜１．０ｍｍ程度の直線状部分を設けておくことが好ましい。加工方法は特に限定されず、種々の手法を採用できる。例えば、超弾性を有するニッケルチタン製弾性ワイヤ４の遠位端部を螺旋状に加工する場合は、螺旋状の溝を設けた金属製の丸棒に、ニッケルチタン製弾性ワイヤ４の遠位端部を溝に沿って固定し、電気炉などにより、４００〜１０００℃程度に加熱することで、所望の螺旋形状に加工することができる。
【００３５】
つぎに、複数の弾性ワイヤ４をそれぞれ近位端側から複数孔結束部材７の異なる貫通孔に挿通して、弾性ワイヤ４の近位側結束点６となる箇所を貫通孔内に位置させる。単一孔結束部材９を設ける場合は、それぞれの弾性ワイヤ４を単一孔結束部材９に挿通し、単一孔結束部材９を複数孔結束部材７の近位端側に隣接させる。
【００３６】
そして、全ての弾性ワイヤ４の近位側結束点６となる箇所が複数孔結束部材７貫通孔内に位置したら、弾性ワイヤ４の最遠位端部分を集束して、先端チップ１０の貫通孔もしくは有底孔に挿通する。すると、弾性ワイヤ４の近位側結束点６となる箇所が複数孔結束部材７の異なる貫通孔に挿通されているため、殆ど形を整える作業を要することなく、所望のかご形状を有するかご形状部３が形成される。
【００３７】
つぎに、必要に応じてかご形状部３の微調整を行ってから、銀ロー付け、溶接、接着などの手法により、複数孔結束部材７、単一孔結束部材９、先端チップ１０をそれぞれ弾性ワイヤ４に固着させると、バスケット部２が形成される。このように、バスケット部２を形成するにあたり、弾性ワイヤ４を先端チップ部１０で曲げ戻したり、弾性ワイヤ４の余分な部分を切断したりする工程は不要である。
【００３８】
そして、バスケット部２に操作ワイヤ１１を接続してから、シース１３の操作ワイヤルーメン１４に操作ワイヤ１１を挿通し、操作ワイヤ１１の近位端部に、リードパイプ２０を覆設する。そして、必要に応じて、シース１３の近位端部にガイドワイヤ挿通ポート１７、造影剤注入ポート１８、補強チューブ、コネクタ１９を設け、操作ワイヤ１１の近位端部に操作部材２１を接続すると、医療用バスケット型把持鉗子１が完成する。
【００３９】
なお、本発明は、上述した実施形態に限定されるものではなく、本発明の範囲内で種々に改変することができる。
【００４０】
【発明の効果】
以上説明してきたように、本発明によれば、バスケット部の形状が崩れにくく、かつ、製造が容易で、先端チップの外径が大きくならない医療用バスケット型把持鉗子を提供することができる。
【図面の簡単な説明】
【図１】図１は本発明の実施形態に係る医療用バスケット型把持鉗子の全体図である。
【図２】図２は本発明の実施形態に係る医療用バスケット型把持鉗子のバスケット部の拡大図である。
【図３】図３は本発明の実施形態に係る複数孔結束部材の斜視図である。
【図４】図４は本発明の実施形態に係るシースの遠位端部の斜視図である。
【符号の説明】
１…医療用バスケット型把持鉗子
２…バスケット部
３…かご形状部
４…弾性ワイヤ
５…遠位側結束点
６…近位側結束点
７…複数孔結束部材
８…貫通孔
９…単一孔結束部材
１０…先端チップ
１１…操作ワイヤ
１２…接続パイプ
１３…シース
１４…操作ワイヤルーメン
１５…造影剤ルーメン
１６…ガイドワイヤルーメン
１７…ガイドワイヤ挿通ポート
１８…造影剤注入ルーメン
１９…コネクタ
２０…リードパイプ
２１…操作部材
２２…細径ステンレス鋼製パイプ
２３…ステンレス鋼製パイプ
２４…ステンレス鋼製丸棒
【図１】
2005021195.tif 000003
【図２】
2005021195.tif 000004
【図３】
2005021195.tif 000005
【図４】
2005021195.tif 000006